(57)【要約】【課題】  複数の各走査線の湾曲量とその傾きの両者を調整できるようにする。【解決手段】  複数のＬＤユニットから出射されたレーザビームによる各走査線に対応する複数の光学素子の中のそれぞれ１つである長尺プラスチックレンズ１０及び１５をレンズホルダ１９，１９でそれぞれ保持し、その各レンズホルダ１９，１９に長尺プラスチックレンズ１０，１５をレーザビームの副走査方向に強制的にたわませて走査線の曲がりを調整する３個のイモネジ２０ａ〜２０ｃを設ける。また、長尺プラスチックレンズ１０，１５を各レンズホルダ１９と一体で傾かせて走査線の傾きを補正する調整ネジ２１ａ，２１ｂを設ける。【選択図】        図１
2007164205.tif 000002
【特許請求の範囲】
【請求項１】
複数のレーザ光源からそれぞれ出射されたビームによる走査線をそれぞれ対応する感光体に結像させる複数の光学素子群が各走査線に対応して光学ハウジング内にそれぞれ配置されている光走査装置において、
前記各走査線に対応する各光学素子群をそれぞれ構成する複数の光学素子の中のいずれか１つをそれぞれ保持部材により保持し、該保持部材にその保持部材が保持している光学素子を前記ビームの副走査方向に強制的にたわませることにより走査線の曲がりを調整する走査線湾曲調整手段を前記走査線の主走査方向に沿って間隔を置いて複数設けると共に、前記光学素子を走査線の曲がりを維持した状態のまま前記保持部材と一体で傾かせることにより走査線全体の傾きを補正する走査線傾き調整手段を設けたことを特徴とする光走査装置。
【請求項２】
前記走査線湾曲調整手段と走査線傾き調整手段は、前記保持部材が保持している光学素子と一体的に設けられていることを特徴とする請求項１記載の光走査装置。
【請求項３】
前記走査線湾曲調整手段は、前記保持部材の前記主走査方向に沿って間隔を置いて形成した複数の基準面に光学素子を当接させ、その光学素子の前記保持部材の基準面に対して前記主走査方向にそれぞれオフセットした位置を前記基準面側に押圧する複数個の湾曲調整部材からなる手段であることを特徴とする請求項１又は２記載の光走査装置。
【請求項４】
前記走査線傾き調整手段は、前記光学素子の光軸近傍を中心にして前記保持部材を回転及び前記副走査方向にシフトさせる手段であり、前記走査線湾曲調整手段と独立して動作可能であることを特徴とする請求項１乃至３のいずれか一項に記載の光走査装置。
【請求項５】
前記走査線湾曲調整手段と走査線傾き調整手段のそれぞれ調整部は、共に同一方向から調整操作可能な位置に配設されていることを特徴とする請求項１乃至４のいずれか一項に記載の光走査装置。
【請求項６】
請求項１乃至５のいずれか一項に記載の光走査装置において、前記光学ハウジング又はその光学ハウジングと一体の部材に突き当て部を設けると共に、前記保持部材に前記突き当て部に当接させて位置決めをする位置決め部を設け、該位置決め部を前記突き当て部に押し当てるように前記保持部材を押圧付勢する押圧手段を設けたことを特徴とする光走査装置。
【請求項７】
請求項１乃至６のいずれか一項に記載の光走査装置を備えた画像形成装置。
【発明の詳細な説明】
【技術分野】
【０００１】
この発明は、レーザプリンタ，デジタル複写機，レーザファックス等の画像形成装置に用いられる光走査装置、及びそれを搭載した画像形成装置に関する。
【背景技術】
【０００２】
例えば、電子写真方式の画像形成装置であるレーザプリンタ，デジタル複写機，レーザファックス等は、レーザビームを感光体の表面に照射してそれを走査することにより感光体上に潜像を形成する光走査装置を備えている。
このような光走査装置では、光源から照射されたレーザビームを回転するポリゴンミラーにより偏向して感光体上を走査するようにしているが、そのレーザビームの光路の途中に、通常のものでは走査方向に沿って長く形成した板状のガラスを配置している。そして、そのガラスは、断面内で角度α傾けて配置しており、その角度αを変えたり、ガラスの厚みを変えたりすることにより、感光体上におけるレーザビームによる走査線（レーザ走査線）の湾曲量を調整するようにしている（例えば、特許文献１参照）。
【特許文献１】特開平１１−２８７９６６号公報
【発明の開示】
【発明が解決しようとする課題】
【０００３】
しかしながら、このような従来の光走査装置の場合には、上述したようにポリゴンミラーと感光体との間の光路に設けるガラスの傾き角度や、そのガラスの厚みを変えることでレーザ走査線の湾曲量の調整を行うことができるが、走査線自体の傾きを変える調整はできないという問題点があった。
そのため、各ステーション毎の走査線の湾曲量を所定の範囲に調整できたとしても、走査線の傾きが各ステーション毎（使用する複数の色にそれぞれ対応する各レーザビーム毎）にバラついてしまったときには色ムラや色ズレが生じてしまうため画像品質が低下してしまうということがあった。
【０００４】
また、走査光学系に上記のようなガラスを設けるため、その分だけ光利用効率がダウンしたり、そのガラスの傾きを調整するためのメカ機構も必要となるため、その分だけコストアップになってしまうという問題点もあった。
この発明は、上記の問題点に鑑みてなされたものであり、複数のレーザ光源からそれぞれ出射されたレーザビームによる走査線の湾曲量の調整を行うことができると共に、走査線自体の傾きも調整することができるようにすることを目的とする。
【課題を解決するための手段】
【０００５】
この発明は上記の目的を達成するため、複数のレーザ光源からそれぞれ出射されたビームによる走査線をそれぞれ対応する感光体に結像させる複数の光学素子群が各走査線に対応して光学ハウジング内にそれぞれ配置されている光走査装置において、
上記各走査線に対応する各光学素子群をそれぞれ構成する複数の光学素子の中のいずれか１つをそれぞれ保持部材により保持し、その保持部材にその保持部材が保持している光学素子を上記ビームの副走査方向に強制的にたわませることにより走査線の曲がりを調整する走査線湾曲調整手段を上記走査線の主走査方向に沿って間隔を置いて複数設けると共に、上記光学素子を走査線の曲がりを維持した状態のまま上記保持部材と一体で傾かせることにより走査線全体の傾きを補正する走査線傾き調整手段を設けたものである。
【０００６】
上記走査線湾曲調整手段と走査線傾き調整手段は、上記保持部材が保持している光学素子と一体的に設けるとよい。
また、上記走査線湾曲調整手段は、上記保持部材の上記主走査方向に沿って間隔を置いて形成した複数の基準面に光学素子を当接させ、その光学素子の上記保持部材の基準面に対して上記主走査方向にそれぞれオフセットした位置を上記基準面側に押圧する複数個の湾曲調整部材からなる手段であるようにするとよい。  さらに、上記走査線傾き調整手段は、上記光学素子の光軸近傍を中心にして上記保持部材を回転及び上記副走査方向にシフトさせる手段であり、上記走査線湾曲調整手段と独立して動作可能にするとよい。
【０００７】
そして、その走査線湾曲調整手段と走査線傾き調整手段のそれぞれ調整部は、共に同一方向から調整操作可能な位置に配設するとよい。
また、上記いずれかの光走査装置において、上記光学ハウジング又はその光学ハウジングと一体の部材に突き当て部を設けると共に、上記保持部材に上記突き当て部に当接させて位置決めをする位置決め部を設け、その位置決め部を上記突き当て部に押し当てるように上記保持部材を押圧付勢する押圧手段を設けるとよい。
さらに、上記いずれかの光走査装置を備えた画像形成装置を提供する。
【発明を実施するための最良の形態】
【０００８】
以下、この発明の実施の形態を図面に基づいて説明する。
図１はこの発明の一実施形態例である光走査装置の長尺プラスチックレンズ付近を一部断面にして示す正面図、図２は同じくその長尺プラスチックレンズを保持する構成を示す平面図、図３は同じくその長尺プラスチックレンズを保持する構成を示す左側面図、図４は同じくその光走査装置を構成する各部品を示す斜視図、図５は同じくその光走査装置を備えた画像形成装置を示す全体構成図である。
図５に示す画像形成装置であるデジタル複写機は、複写機本体３０と、自動原稿給送装置（以下「ＡＤＦ」という）１と、給紙ユニット６０とによって構成されている。
ＡＤＦ１は、原稿台５１上に積載された原稿を１枚ずつ自動給送して複写機本体３０のコンタクトガラス５２上に給送し、スキャナによる画像情報の読み取り後に、その原稿を原稿排出トレイ５３上に排出する。
【０００９】
複写機本体３０内には、その上部にコンタクトガラス５２上にセットされた原稿の画像情報を読み取るスキャナ部７０と、レーザ光源となる後述するＬＤユニット１１，１２を有する光走査装置２と、感光体ドラム１６，１８を有する作像部等が設けられている。
スキャナ部７０は、露光ランプと複数のミラーとレンズとＣＣＤ等からなる光学走査系を有している。
感光体ドラム１６，１８の回りには、それぞれ帯電装置３１と現像装置３２と、転写部を形成する転写ベルト３３と、クリーニング装置３４等がそれぞれ配設されている。
そして、感光体ドラム１６の転写紙搬送下流側（図５で左方側）には定着装置５５が、その下流側には反転・排紙部５６がそれぞれ設けられている。また、定着装置５５の下方には、両面ユニット４０が設けられている。
【００１０】
スキャナ部７０の光学走査系は、コンタクトガラス５２上にセットされた原稿の画像を光学的に走査し、その画像情報をレンズによりＣＣＤの受光面に結像させて光電変換する。
その画像信号（画像情報）は、図示しない画像処理回路によりＡ／Ｄ変換等の処理が施された後、図示しない画像処理部により各種の画像処理が施され、次いで画像形成時に後述する光走査装置２により、その画像信号に基づく画像が、それぞれ帯電装置３１により表面が一様に帯電された感光体ドラム１６，１８の帯電面にレーザビームにより書き込まれ、そこに潜像が形成される。
その潜像は、感光体ドラム１６，１８が共に図５で時計回り方向に回転することにより各現像装置３２のある位置まで回転移動すると、その現像装置３２により現像されてトナー像（可視像）となる。
【００１１】
一方、給紙ユニット６０に設けられているタンデム式の大量給紙装置６１，ユニバーサルトレイ６２，６３のいずれかの給紙段から、そこに収納されている転写紙Ｐが複写機本体３０内に向けて給紙される。
その転写紙Ｐは、複写機本体３０内を上方に向けて搬送され、その先端がレジストローラ５４に突き当たって一旦停止した後に、感光体ドラム１８上に形成されているトナー像と一致する正確なタイミングでレジストローラ５４により再搬送され、そこに感光体ドラム１８，１６上のトナー像が順次転写される。
その転写紙Ｐは、感光体ドラム１６から分離された後、転写ベルト３３により定着装置５５に搬送され、そこで定着ローラによりトナー画像が定着される。
そして、そのトナー画像が定着された後の転写紙Ｐは、片面画像形成時には反転・排紙部５６により直進方向に搬送されて排紙ローラ５７により排紙トレイ５８上に排紙される。
【００１２】
また、両面画像形成時には、表面に画像が形成された転写紙Ｐが、反転・排紙部５６により表裏が反転された状態で両面ユニット４０側に搬送され、それが再給紙されて再び感光体ドラム１８が設けられている作像部に搬送され、今度は裏面側に画像が形成される。そして、その画像が定着装置５５で定着された後に、反転・排紙部５６により直進方向に搬送されて排紙ローラ５７により排紙トレイ５８上に排紙される。
光走査装置２は、図４に示すようにタンデム式の書込光学系を備えた走査レンズ方式のものであるが、走査ミラー方式のものにも対応が可能である。そして、図４には２本のレーザビームを使用して感光体ドラム１６，１８上にそれぞれ潜像を形成する２ステーションタイプの例を示したが、ポリゴンミラー６，７を中心にして左右対称の構成にすれば、４ステーションタイプにすることもできる。
【００１３】
この光走査装置２は、副走査方向に所定の距離を置いて２個のＬＤユニット１１、１２を配置し、その一方のＬＤユニット１１から出射したレーザビームを折り返しミラー３により他方のＬＤユニット１２から出射されたレーザビームと同一方向に曲げるようにしている。そして、その２本のレーザビームをそれぞれシリンダレンズ４，５に入射させ、その２本のレーザビームを、上下方向に所定の距離を置いて配置した２段のポリゴンミラー６，７の反射面近傍に、それぞれ線状に集光するようにしている。
そのポリゴンミラー６，７により偏向されたレーザビームは、一体型あるいは上下２段に配設された第１の走査レンズとなる走査レンズ８，９によりそれぞれビーム整形され、さらに第２の走査レンズとなる長尺プラスチックレンズ１０，１５によりｆθ特性と所定のビームスポット径にビーム整形されて、感光体ドラム１６，１８上をそれぞれ走査する。
【００１４】
そのＬＤユニット１１から出射されたレーザビームと、ＬＤユニット１２から出射されたレーザビームは、走査レンズ８，９を通過した後の光路が異なる。
すなわち、ＬＤユニット１２から出射した上側のビームは、上側の長尺プラスチックレンズ１０に入射した後に折り返しミラー１４によって９０°上方に向けて曲げられ、さらに折り返しミラー２７により９０°曲げられる。そして、そのレーザビームは、さらに折り返しミラー１３により下方に曲げられて感光体ドラム１６上を走査する。
また、ＬＤユニット１１から出射された下側のビームは、途中で折り返しミラー１４，２７に入射することなく長尺プラスチックレンズ１５に入射した後、２枚の折り返しミラー３６，３７によって光路が曲げられて、感光体ドラム１６に対して所定のドラム間ピッチで配設されている感光体ドラム１８上を走査する。
なお、ＬＤユニット１１，１２からそれぞれ出射されたレーザビームによる各走査線をそれぞれ対応する感光体ドラム１８，１６に結像させる上述した複数の光学素子群は、各走査線に対応して図５（光学素子群の図示は省略している）に示した光学ハウジング２６内にそれぞれ配置されている。
【００１５】
ところで、近年このような光走査装置では、コストダウンの目的から走査光学系にプラスチック製の光学素子を採用することが必須となってきている。特にタンデム式の書込光学系を備えた光走査装置の場合には使用する光学素子の部品点数が多くなるため、走査光学系をプラスチック化する効果は大きい。
ところが、図４に示した長尺プラスチックレンズ１０，１５のように長尺のプラスチック光学素子の場合には、成形条件や残留応力などの影響により長手方向、特に走査面と直交する方向にたわみが発生しやすい。
そのたわみ量は数十ミクロンであり、型の違いによってその量や方向はバラつくため、それにより各ステーション間における走査線（使用する複数の色に対応する複数の走査線）の湾曲状態の調整や、その走査線自体の傾きを調整して、その複数の走査線を互いに高精度に位置合わせするのは非常に難しくなる。
【００１６】
そこで、この実施の形態による光走査装置２では、複数のレーザ光源となるＬＤユニット１１，１２からそれぞれ出射されたレーザビームによる各走査線に対応する各光学素子群をそれぞれ構成する複数の光学素子の中のそれぞれ１つである長尺プラスチックレンズ１０及び１５を、それぞれ保持部材である図１に示すレンズホルダ１９，１９により保持し、その各レンズホルダ１９にその各レンズホルダ１９が保持している長尺プラスチックレンズ１０，１５をレーザビームの図１で下方の副走査方向に強制的にたわませることにより走査線の曲がり（湾曲状態）を調整する走査線湾曲調整手段となる３個のイモネジ２０ａ，２０ｂ，２０ｃを走査線の主走査方向（図１で左右方向）に沿って間隔を置いて複数設けている。
また、長尺プラスチックレンズ１０，１５をそれぞれ走査線の曲がりを維持した状態のまま各レンズホルダ１９と一体で傾かせる（図１でレンズホルダ１９が右上がりあるいは左上がりとなる方向の傾き調整）ことにより走査線全体の傾きを補正する走査線傾き調整手段となる調整ネジ２１ａ，２１ｂをそれぞれ設けている。
【００１７】
以下、その走査線の曲がりを調整する機構と、走査線全体の傾きを補正する機構について説明する。
光走査装置２の光学ハウジング２６に、位置決め用の２個のボス２５，２５を図１で左右方向となる主走査方向に間隔を置いて立設し、その両側のボス２５，２５に図２に示すように突き当て段部２５ａ，２５ａをそれぞれ形成し、そこに長尺プラスチックレンズ１５を保持するレンズホルダ１９の位置決め部となる両端部をそれぞれ付き当てて、光軸方向の位置決めをする。
また、レンズホルダ１９は、図１に示したように、その長手方向の両端面にそれぞれ形成している円弧面１９ｅ，１９ｆが、両側のボス２５，２５の内面にそれぞれ精度良く当接して嵌合することにより、主走査方向の位置決めが精度良く行われるようになっている。
なお、両端の円弧面１９ｅ，１９ｆは、略光軸を中心とする同心円上に沿う形状に形成されている。
両側のボス２５，２５には、それらの間に跨るように調整補助板２４を設け、その調整補助板２４の両端にはそれぞれボス２５への取付孔と、傾き調整ネジ２１ａ，２１ｂを通すための孔２４ａ，２４ａと、イモネジ２０ａ，２０ｂ，２０ｃをそれぞれ通すための逃げ孔２４ｂを間隔を置いて３個形成している。
【００１８】
一方、長尺プラスチックレンズ１５を収納するレンズホルダ１９は、長尺プラスチックレンズ１５と略同型の矩形の貫通孔が形成されていて、上面には湾曲調整用の湾曲調整部材であるイモネジ２０ａ〜２０ｃをそれぞれ螺着するためのネジ孔が長手方向に間隔を置いて３箇所形成してある。
さらに、このレンズホルダ１９の両端部には、走査線傾き調整手段であり、走査線傾き調整用として使用する各調整用ネジ孔１９ｄ，１９ｄをそれぞれ形成し、そこに調整補助板２４の各孔２４ａに挿入した調整ネジ２１ａ，２１ｂをそれぞれ螺着している。
なお、調整ネジ２１ａ，２１ｂは、調整補助板２４の下面とレンズホルダ１９の上面との間に介装した圧縮バネ２２，２２の中心を貫通した状態でレンズホルダ１９の各孔２４ａにそれぞれ螺着されており、その２個の圧縮バネ２２，２２によりレンズホルダ１９が、常に図１で下方に押圧付勢されている。
【００１９】
また、そのレンズホルダ１９の矩形の貫通孔の下側内面には、長尺プラスチックレンズ１５の下面を２箇所で受けるリブ部１９ａ，１９ａを突設し、そのリブ部１９ａ，１９ａのそれぞれ上面を副走査方向の基準面としている。そして、その一対のリブ部１９ａ，１９ａは、レンズホルダ１９の上部側の面に形成している３箇所のイモネジ２０ａ〜２０ｃをそれぞれ螺着するためのネジ孔と長手方向でオフセットする位置にそれぞれ形成してある。
このレンズホルダ１９には、図２に示すように両端部の内側の面にザグリ部１９ｂ，１９ｃをそれぞれ形成し、そこに長尺プラスチックレンズ１５の両端部に形成している突起部１５ａ，１５ｂをそれぞれ突き当てることにより、長尺プラスチックレンズ１５の光軸方向（図２で上下方向）の位置決めを行っている。
【００２０】
そして、その状態で、図２，図３及び図６に示すように、両側のボス２５，２５のそれぞれ後側の面にネジ止め固定した板バネ２３，２３により、図２に示したようにレンズホルダ１９と長尺プラスチックレンズ１５の背面を共に前方（同図で下方）に向けて押圧することにより、レンズホルダ１９と長尺プラスチックレンズ１５の光軸方向の位置決めを行っている。
また、その長尺プラスチックレンズ１５のレンズホルダ１９に対するレーザビームの主走査方向（長手方向）の位置決めは、図２に示したように両側の突起部１５ａ，１５ｂのそれぞれ両端面をレンズホルダ１９の内面両端部に精度良く嵌合させることにより行っている。
【００２１】
このように、この光走査装置２は、光学ハウジング２６と一体の部材である両側のボス２５，２５（光学ハウジング２６にボス２５を一体に形成するようにしてもよい）に突き当て部となる突き当て段部２５ａ，２５ａを設けると共に、レンズホルダ１９に突き当て段部２５ａ，２５ａに当接させて位置決めをする位置決め部（図２で下面の両端部となる）を設け、その両側の位置決め部を突き当て段部２５ａ，２５ａにそれぞれ押し当てるようにレンズホルダ１９を押圧付勢する押圧手段である左右の板バネ２３，２３を設けている。
また、この光走査装置２は、上述したようにレンズホルダ１９の主走査方向に沿って間隔を置いて形成した２個の基準面となるリブ部１９ａ，１９ａに長尺プラスチックレンズ１５の下面を当接させ、その長尺プラスチックレンズ１５のレンズホルダ１９のリブ部１９ａ，１９ａに対して上記主走査方向にそれぞれオフセットした位置をそれぞれリブ部１９ａ側に押圧する複数個のイモネジ２０ａ〜２０ｃからなる走査線湾曲調整手段を設けている。
【００２２】
そして、その光走査装置２が有する走査線傾き調整手段は、長尺プラスチックレンズ１５の光軸近傍を中心にしてレンズホルダ１９を回転及び副走査方向にシフトさせる手段であり、上記走査線湾曲調整手段と独立して動作可能である。
さらに、その走査線湾曲調整手段と走査線傾き調整手段は、レンズホルダ１９が保持している長尺プラスチックレンズ１５と一体的に設けられている。
また、その走査線湾曲調整手段の調整部となる各イモネジ２０ａ〜２０ｃと、走査線傾き調整手段の調整部となる調整ネジ２１ａ，２１ｂは、共に図１で上方の同一方向から調整操作可能な位置にそれぞれ配設されている。
【００２３】
次に、この光走査装置２における走査線の湾曲状態の調整の仕方について説明する。
この光走査装置２で走査線の湾曲状態を調整するときには、図１に示した３箇所のイモネジ２０ａ〜２０ｃのうち両端に位置するイモネジ２０ａ，２０ｃをそれぞれを緩め、中央に位置するイモネジ２０ｂを締め込むと、長尺プラスチックレンズ１５は各イモネジ２０ａ〜２０ｃに対してオフセットした位置にある２個のリブ部１９ａ，１９ａにより支持されているので、その長手方向の中央のイモネジ２０ｂにより押し下げられた部分が下側に凸形状となるように湾曲状態にたわむように調整される。
【００２４】
逆に、中央に位置するイモネジ２０ｂを緩めて両端部側のイモネジ２０ａ，２０ｃをそれぞれ締め付けると、今度はリブ部１９ａ，１９ａをそれぞれ支点として、長尺プラスチックレンズ１５のリブ部１９ａ，１９ａよりもそれぞれ外側の部分が押し下げられるため、長尺プラスチックレンズ１５は長手方向の中央部分が上方に凸形状になるように湾曲調整される。
したがって、長尺プラスチックレンズ１５は、３本のイモネジ２０ａ〜２０ｃを進退させるだけで長手方向の中央部分を上方に向けて凸形状になるようにしたり、下方に向けて凸形状になるようにしたりすることができる。それにより、長尺プラスチックレンズ１５のいずれの方向に対する湾曲状態であっても、それを簡単に調整することができる。
この光走査装置２によれば、長尺プラスチックレンズ１５の湾曲状態を補正するだけでなく、その光走査装置２に設けられている図４に示した他の光学素子の配置誤差によって生じる走査線の湾曲も、容易に調整することができる。
【００２５】
次に走査線の傾きの調整について説明する。
走査線の傾き調整は、長尺プラスチックレンズ１５をレンズホルダ１９と一体で、略光軸まわりに回転あるいは副走査方向にシフトさせることにより行う。
すなわち、走査線の傾きを調整するときには、長尺プラスチックレンズ１５を保持したレンズホルダ１９の長手方向の両端部のバランス（高さ方向の位置的なバランス）を調整ネジ２１ａ，２１ｂを締め込んだり、緩めたりすることで行う。
例えば、長尺プラスチックレンズ１５を図１で右上がりになるように走査線の傾きを調整する場合には、同図で左側の調整ネジ２１ａをレンズホルダ１９から抜け出る方向に緩める。また、右側の調整ネジ２１ｂをレンズホルダ１９に対して締め込む。
【００２６】
そうすれば、レンズホルダ１９の両端の円弧面１９ｅ，１９ｆは、それぞれ略光軸を中心とする同心円上に沿う形状に形成されているので、レンズホルダ１９が長尺プラスチックレンズ１５と共に図１で右上がりに高い精度で傾く。それにより、長尺プラスチックレンズ１５の傾きに対応する走査線の傾きの微小な調整を高精度で行うことができる。
また、左右の調整ネジ２１ａ，２１ｂを同量ずつレンズホルダ１９に締め込んだり、同量ずつ緩めたりすれば、レンズホルダ１９が長尺プラスチックレンズ１５と共に図１で左右の両端部が同量ずつ上方に持ち上がったり、下方に下がったりするので、走査線の副走査方向へのシフト（平行移動）を高精度で行うことができる。
【００２７】
このようにして、走査線の傾きを調整したり、シフトさせたりした後の長尺プラスチックレンズ１５及びレンズホルダ１９は、それぞれ両端部の後面が図２，図３及び図６に示した板バネ２３，２３により押圧されることにより光軸方向の位置決めが確実に行われると共に、左右に設けられている圧縮バネ２２，２２の付勢力により副走査方向（図１で鉛直方向）の位置決めが、ガタが出ないように確実に行われる。
同様に、図４に示した長尺プラスチックレンズ１０についても、図１乃至図３及び図６で説明した走査線湾曲調整手段及び走査線傾き調整手段と同様な調整機構をそれぞれ設けているので、簡単に長尺プラスチックレンズ１０を通過した走査線の湾曲状態を調整したり、その走査線の傾きを調整したりすることができる。
【００２８】
図７は４ステーションの光走査装置における調整前の各ステーション毎の走査線の曲がり（湾曲状態）を測定した結果を示す線図、図８はその走査線の曲がりを図１，図２等で説明した調整機構を４ステーションの光走査装置に適用して調整した後の測定結果を示す線図である。
図７に示すように、マゼンタ（Ｍ），イエロー（Ｙ），シアン（Ｃ），ブラック（Ｂ）の各ステーション毎に測定した調整前の各走査線の曲がりは、最大で１５０μｍ程度であったが、主に図１及び図２を使用して説明した調整機構を使用してその走査線の曲がりを調整したところ、調整後は図８に示すように、その曲がりは長尺プラスチックレンズ１５（あるいは長尺プラスチックレンズ１０）の単体の湾曲補正及びその他の光学素子の誤差分を含めて４０〜５０μｍ程度にまで抑えることができた。
このように、この光走査装置２によれば、それぞれの色に対応する各ステーション毎の走査線の曲がり、すなわち湾曲量を小さくするように調整することができると共に、その各走査線の傾きも調整により揃えることができるので、色ムラや色ズレを防止して良好な画像を得ることができる。
【産業上の利用可能性】
【００２９】
以上説明したように、この発明によれば、次に記載する効果を奏する。
請求項１及び請求項７の画像形成装置によれば、複数のレーザ光源からそれぞれ出射されたレーザビームによる走査線の湾曲量の調整を走査線湾曲調整手段により容易に補正することができる。また、走査線傾き調整手段により、保持部材が保持する光学素子を走査線の曲がりを調整した後の状態のまま保持部材と一体で傾かせて走査線全体の傾きを補正することができる。したがって、各色に対応する複数の走査線の傾きのバラツキを小さくすることができるため、色ムラや色ズレを少なくすることができるため高い画像品質が得られる。
【００３０】
請求項２の光走査装置によれば、走査線湾曲調整手段と走査線傾き調整手段は保持部材が保持している光学素子と一体的に設けられているので、その走査線湾曲調整手段と走査線傾き調整手段が一体的に設けられている１つの光学素子について走査線の湾曲状態及び走査線の傾きを補正するだけで、その走査線に係る他の光学素子等による誤差も補正することができる。したがって、調整する場所の集中化が図れるため、調整作業の容易化及び調整精度の向上が図れる。
請求項３の光走査装置によれば、保持部材が複数の基準面に当接させて保持した光学素子の主走査方向に間隔を置いて上記基準面に対して主走査方向にそれぞれオフセットした位置を複数個の湾曲調整部材が上記基準面側に押圧するので、上記光学素子単体の湾曲形状の補正、及び全ての光学素子の積み上げ誤差により生じた走査線の湾曲状態を、湾曲調整部材を操作することにより短い周期できめ細かく補正することができる。したがって、高い調整精度が得られる。
【００３１】
請求項４の光走査装置によれば、走査線傾き調整手段は光学素子の光軸近傍を中心にして保持部材を回転及び前記副走査方向にシフトさせる手段であるので、焦線の傾き合わせができる。また、その走査線傾き調整手段は走査線湾曲調整手段に対して独立して動作が可能であるので、走査線の傾きと走査線の湾曲状態を、それぞれについて最適な状態に調整することができる。
請求項５の光走査装置によれば、走査線の湾曲調整と走査線の傾き調整作業を同一方向から行うことができるので、その調整作業が容易であると共に、自動化の対応も容易である。
請求項６の光走査装置によれば、光学素子を保持した保持部材の位置決め部を光学ハウジング又はその光学ハウジングと一体の部材の突き当て部に押圧手段により当接させて位置決めをするので、光学素子の光学ハウジングに対する光軸方向の位置決めを確実に行うことができる。
【図面の簡単な説明】
【００３２】
【図１】この発明の一実施形態例である光走査装置の長尺プラスチックレンズ付近を一部断面にして示す正面図である。
【図２】同じくその長尺プラスチックレンズを保持する構成を示す平面図である。
【図３】同じくその長尺プラスチックレンズを保持する構成を示す左側面図である。
【図４】同じくその光走査装置を構成する各部品を示す斜視図である。
【図５】同じくその光走査装置を備えた画像形成装置を示す全体構成図である。
【図６】図４に示した光走査装置の長尺プラスチックレンズを保持する部分の構成を示す背面図である。
【図７】４ステーションの光走査装置における調整前の各ステーション毎の走査線の曲がりを測定した結果を示す線図である。
【図８】同じくその走査線の曲がりを図１，図２等で説明した調整機構を４ステーションの光走査装置に適用して調整した後に測定した結果を示す線図である。
【符号の説明】
【００３３】
２：光走査装置
１０，１５：長尺プラスチックレンズ（光学素子）
１１，１２：ＬＤユニット（レーザ光源）
１６，１８：感光体ドラム
１９：レンズホルダ（保持部材）
１９ａ：リブ部（基準面）
２０ａ，２０ｂ，２０ｃ：イモネジ（湾曲調整部材）
２１ａ，２１ｂ：調整ネジ
２３：板バネ（押圧手段）
２５：ボス（光学ハウジングと一体の部材）
２５ａ：突き当て段部（突き当て部）
２６：光学ハウジング
【図１】
2007164205.tif 000003
【図２】
2007164205.tif 000004
【図３】
2007164205.tif 000005
【図４】
2007164205.tif 000006
【図５】
2007164205.tif 000007
【図６】
2007164205.tif 000008
【図７】
2007164205.tif 000009
【図８】
2007164205.tif 000010